【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
手首の周方向に倣って湾曲するとともに、一端と他端とが離間して形成されたカーラと、
二枚のシート部材を溶着することで形成され、流体により膨張する、一つの又は複数が積層される袋状構造体、並びに、前記袋状構造体の前記二枚のシート部材を溶着した周縁部よりも前記袋状構造体の中央側で、前記袋状構造体の前記カーラ側に配置される前記シート部材に溶着される、前記カーラと接着される被接着部を有する、樹脂材料で形成されたカフと、
前記カーラ及び前記被接着部を接着する接着層と、
を備え、
前記被接着部は、前記袋状構造体の前記カーラ側に配置される前記シート部材に一体に溶着された前記シート部材である血圧測定装置。
【請求項２】
手首の周方向に倣って湾曲するとともに、一端と他端とが離間して形成されたカーラと、
二枚のシート部材を溶着することで形成され、流体により膨張する、一つの又は複数が積層される袋状構造体、並びに、前記袋状構造体の前記二枚のシート部材を溶着した周縁部よりも前記袋状構造体の中央側で、前記袋状構造体の前記カーラ側に配置される前記シート部材に溶着される、前記カーラと接着される被接着部を有する、樹脂材料で形成されたカフと、
前記カーラ及び前記被接着部を接着する接着層と、
を備え、
前記被接着部は、二枚の前記シート部材を溶着することで、前記流体により前記袋状構造体よりも小さい形状に膨張する袋状に形成され、前記袋状構造体の前記カーラ側に配置される前記シート部材に一体に溶着された血圧測定装置。
【請求項３】
手首の周方向に倣って湾曲するとともに、一端と他端とが離間して形成されたカーラと、
二枚のシート部材を溶着することで形成され、流体により膨張する、一つの又は複数が積層される袋状構造体、並びに、前記袋状構造体の前記二枚のシート部材を溶着した周縁部よりも前記袋状構造体の中央側で、前記袋状構造体の前記カーラ側に配置される前記シート部材に溶着される、前記カーラと接着される被接着部を有する、樹脂材料で形成されたカフと、
前記カーラ及び前記被接着部を接着する接着層と、
を備え、
前記被接着部は、二枚の前記シート部材を溶着することで、前記流体により前記袋状構造体よりも小さい形状に膨張する袋状に形成され、前記袋状構造体の前記カーラ側に配置される前記シート部材に一体に溶着された第１被接着部、並びに、前記第１被接着部の前記カーラ側に配置される前記シート部材に一体に溶着された、前記シート部材である血圧測定装置。
【請求項４】
前記被接着部は、前記シート部材よりも曲げ応力が高い、請求項１乃至請求項３のいずれか一項に記載の血圧測定装置。
【手続補正２】
【補正対象書類名】明細書
【補正対象項目名】０００４
【補正方法】変更
【補正の内容】
【０００４】
そこで、血圧測定装置は、膨張したカフを上腕や手首に密着させるために、ベルトとカフの間にカーラを用いる技術が知られている（例えば、特許文献１参照）。このような血圧測定装置は、カーラにカフを両面テープ等の接着層により接着して固定させることで、カーラにカフを一体に構成する。
【手続補正３】
【補正対象書類名】明細書
【補正対象項目名】０００９
【補正方法】変更
【補正の内容】
【０００９】
一態様によれば、手首の周方向に倣って湾曲するとともに、一端と他端とが離間して形成されたカーラと、二枚のシート部材を溶着することで形成され、流体により膨張する、一つの又は複数が積層される袋状構造体、並びに、前記袋状構造体の前記二枚のシート部材を溶着した周縁部よりも前記袋状構造体の中央側で、前記袋状構造体の前記カーラ側に配置される前記シート部材に溶着される、前記カーラと接着される被接着部を有する、樹脂材料で形成されたカフと、前記カーラ及び前記被接着部を接着する接着層と、を備える血圧測定装置が提供される。
【手続補正４】
【補正対象書類名】明細書
【補正対象項目名】００１６
【補正方法】変更
【補正の内容】
【００１６】
上記一態様の血圧測定装置において、前記被接着部は、二枚の前記シート部材を溶着することで、前記流体により前記袋状構造体よりも小さい形状に膨張する袋状に形成され、前記袋状構造体の前記カーラ側に配置される前記シート部材に一体に溶着された第１被接着部、並びに、前記第１被接着部の前記カーラ側に配置される前記シート部材に一体に溶着された、前記シート部材である第２被接着部を有する血圧測定装置が提供される。
【手続補正５】
【補正対象書類名】明細書
【補正対象項目名】００５５
【補正方法】変更
【補正の内容】
【００５５】
具体例として、図１、図２及び図４に示すように、カーラ５は、例えば、手首２００の周方向に対して直交する方向からの側面視、換言すると手首２００の長手方向からの側面視で手首２００の周方向に沿って湾曲する形状を有する。カーラ５は、例えば、装置本体３から手首２００の手の甲側及び手首２００の一方の側方側を通って手首２００の手の平側へと渡り、手首２００の他方の側方側へと延びる。即ち、カーラ５は、手首２００の周方向に沿って湾曲することで、手首２００の周方向の大半に渡って配置されるとともに、両端が所定の間隔を有して離間する。
【手続補正６】
【補正対象書類名】明細書
【補正対象項目名】００５６
【補正方法】変更
【補正の内容】
【００５６】
カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【手続補正７】
【補正対象書類名】明細書
【補正対象項目名】００９９
【補正方法】変更
【補正の内容】
【００９９】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正８】
【補正対象書類名】明細書
【補正対象項目名】０１１７
【補正方法】変更
【補正の内容】
【０１１７】
次に、空気袋８１、１０１の膨張によって生じた被接着部８２、１０４のカーラ５から離間する方向の力は、被接着部８２、１０４及びカーラ５の面方向に直交する方向又は直交する方向に近似する方向の力となる。このため、溶着部１５０と対向する接着層８に生じるカーラ５及び被接着部８２、１０４が離間する方向の応力は、図１８の（実施形態）に応力を矢印で示すように、引っ張り応力となる。そして、剥離応力よりも引っ張り応力のほうが、カーラ５から空気袋８１、１０１（被接着部８２、１０４）が離間し難い。
【手続補正９】
【補正対象書類名】明細書
【補正対象項目名】０１２０
【補正方法】変更
【補正の内容】
【０１２０】
結果として、血圧測定装置１は、カフ構造体６が膨張及び収縮を繰り返しても高い耐久性を有し、長期間、高い精度で血圧測定を行うことが可能となる。
【手続補正１０】
【補正対象書類名】明細書
【補正対象項目名】０１２９
【補正方法】変更
【補正の内容】
【０１２９】
例えば、本発明は、図１９に示す第２の実施形態に係る血圧測定装置１Ａの被接着部８２Ａ、１０４Ａに示す構成であってもよい。以下、図１９を用いて被接着部８２Ａ、１０４Ａの構成を説明する。なお、第２の実施形態に係る血圧測定装置１Ａは、被接着部８２Ａ、１０４Ａ以外の構成は上述した第１の実施形態に係る血圧測定装置１と同様の構成であることから、同様の構成には同一符号を付し、その詳細な説明は省略する。
【手続補正１１】
【補正対象書類名】明細書
【補正対象項目名】０１３２
【補正方法】変更
【補正の内容】
【０１３２】
このような第２の実施形態に係る被接着部８２Ａ、１０４Ａを有する血圧測定装置１Ａによれば、上述した第１の実施形態に係る血圧測定装置１と同様の効果を奏する。また、血圧測定装置１Ａは、被接着部８２Ａ、１０４Ａを二枚のシート部材８６を溶着することで、空気袋８１、１０１よりも小さい形状に膨張する袋状構造体とする簡単な構成である。即ち、被接着部８２Ａ、１０４Ａは、空気袋８１、１０１の接合代を大きくした袋状構造体を一層追加する簡単な構成である。このため、血圧測定装置１Ａは、実質的に複数の空気袋８１、１０１を一層追加することと同じであり、被接着部８２Ａ、１０４Ａを安価、且つ、容易に製造することが可能となる。また、カフ構造体６の厚さ方向の寸法は、二枚のシート部材８６の厚さ方向の寸法しか増加しないことから、血圧測定装置１Ａが大型となることを抑制できる。
【手続補正１２】
【補正対象書類名】明細書
【補正対象項目名】０１３３
【補正方法】変更
【補正の内容】
【０１３３】
また、例えば、本発明は、図２０に示す第３の実施形態に係る血圧測定装置１Ｂの被接着部８２Ｂ、１０４Ｂに示す構成であってもよい。以下、図２０を用いて被接着部８２Ｂ、１０４Ｂの構成を説明する。なお、第３の実施形態に係る血圧測定装置１Ｂは、被接着部８２Ｂ、１０４Ｂ以外の構成は上述した第１の実施形態に係る血圧測定装置１及び第２の実施形態に係る血圧測定装置１Ａと同様の構成であることから、同様の構成には同一符号を付し、その詳細な説明は省略する。
【手続補正１３】
【補正対象書類名】明細書
【補正対象項目名】０１４１
【補正方法】変更
【補正の内容】
【０１４１】
さらに、上述した例では、血圧測定装置１は、手首２００に装着されるウェアラブルデバイスの例を用いて説明したがこれに限定されない。例えば、血圧測定装置は、上腕に巻き付けて血圧を測定する血圧測定装置１Ｃであってもよい。以下、第４の実施形態として、血圧測定装置１Ｃを図２１を用いて説明する。なお、本実施形態の構成のうち、上述した各実施形態に係る血圧測定装置１、１Ａ、１Ｂと同様の構成については同一符号を付して説明するとともに、その説明及び図示を適宜省略する。
【手続補正１４】
【補正対象書類名】明細書
【補正対象項目名】０１４４
【補正方法】変更
【補正の内容】
【０１４４】
図２１乃至図２３に示すように、カフ構造体６Ｃは、熱可塑性樹脂材料で構成されたカーラ５Ｃと、カーラ５Ｃの生体側に設けられた、熱可塑性樹脂材料で構成された押圧カフ７１Ｃと、カーラ５Ｃ及び押圧カフ７１Ｃを内部に配置する布等からなる袋状カバー体７６と、を備える。カフ構造体６Ｃは、上腕に巻き付けられる。
【手続補正１５】
【補正対象書類名】明細書
【補正対象項目名】０１４５
【補正方法】変更
【補正の内容】
【０１４５】
カーラ５Ｃは、例えば、取付部１１ａに固定される突起部５ｃを有する。